(57)【要約】      （修正有）【課題】パネルを複数枚組み合わせて一定の大きさのサークルを形成するゴミ集積場囲いにおいて、前記サークルを簡単に形成することができ、使用後は前記パネルをコンパクトに収納でき、防鳥ネットの収容場所も確保できるゴミ集積場の囲いを提供する。【解決手段】パネルを固定するロープの組み合わせを互い違いにすることにより、ロープ同士の重なりを防止する。幅の異なるパネルを組み合わせることにより収納形態を変化させるこことを可能とし且つ、収納状態において一定の大きさの空間を設けることにより、防鳥ネット等の収納スペースも確保できるようにする。【選択図】図１
0003146946.tif 000002
【実用新案登録請求の範囲】
【請求項１】
複数枚のパネル（板）をロープでつなぎ合わせひとつの大きなサークルを形成するゴミ集積場囲いにおいて、サークルの強度を確保するためパネルの接続部分だけをロープで結ぶのではなく、長いロープにて外周を２周させており、そのやり方は、最初の１周は隣り合うパネルを裏、表、裏・・・、と交互に編みこんで行き、次の１周は最初の1周とは反対面を交互に表、裏、表・・・、と編みこんで行く方法で、これをパネルの上部と下部２箇所で行うこことにより、安定した強度を確保できるようにして、上部はネットで覆って鳥獣からゴミを守るゴミ集積場囲い。
【請求項２】
パネルを接続するために編みこむロープの位置を隣り合うパネル同士で変えることにより収納時折りたたんだときにロープ同士の重なりを防止できるようになっていることを特徴とする請求項１記載のゴミ集積場囲い。
【請求項３】
長さの異なるをパネルを組み合わせることで、収納時折りたたんだときにその内側に一定の大きさの空間を確保できるようにして、ネットやその他備品を収納できるようになっていることを特徴とする請求項１又は２記載のゴミ集積場囲い。
【請求項４】
長さの異なるをパネルを組み合わせることで、収納時折りたたんだときの形状を変化させることができるようにして、設置場所の形状、スペースに応じた収納形態をとることができるようになっていることを特徴とする請求項１又は２又は３記載のゴミ集積場囲い。
【考案の詳細な説明】
【技術分野】
【０００１】
ゴミ集積場において鳥獣によりゴミが荒らされないようにゴミを隔離する用具に関するものである。
【背景技術】
【０００２】
ゴミ集積場で、生ゴミの収集日はカラスや犬などの鳥獣によりゴミ袋が破られ、ゴミが散乱してその周辺が汚されることが多々あった。ゴミを集積場所の区画がはっきりしない場合もゴミ袋が散乱して都市の美観が損なわれることが多かった。
【０００３】
それらへの対策としてゴミ全体を覆うようにネットを被せる処置が一般的に多く取られているが、完全にゴミの散乱を防御できず、カラスがネットにもぐりこみ生ゴミを取り出したりしてゴミが散乱することが起こっている。
【０００４】
これら問題に対しては、一定の大きさのサークルを形成し上部にネットをかぶせることで、カラスがもぐりこまない仕組みをとることが周知の事実になっており、実用新案登録第３１４３０７５に記されているような装置が提案されているが、非常に高価なものとなっている。また簡易な手段として、同じ大きさのパネルを複数枚組み合わせて囲いを形成する方法がとられているが、実使用上いくつか問題がある。
【０００５】
利用規模によっては多数のパネルを組み合わせる必要があるが、使用後の収納状態が考慮されていないため、パネル自体をコンパクトに収納することができず、通行の妨げになったり、美観を損なう等の問題となっている。
【０００６】
また同時に使う防鳥ネットの収納方法が確立されていないため、別途専用のかごを用意したり、紐でくくりつけたり、あるいはただ丸めておいてあるなどゴミ集積場ごとにまちまちの対応がとられており、美観が損なわれるとうい問題にもなっている。
【０００７】
さらにはパネル間の接続に関しても十分な強度が確保されておらず、耐久性が低いという問題もある。
【特許文献１】実願２００８−２８８６号公報
【考案の開示】
【考案が解決しようとする課題】
【０００８】
パネル同士の接続に、ロープで外周を２回編みこみむという方式を採用することで、接続部分の強度を確保する。異なる寸法のパネルを組み合わせ、さらに隣接するパネルのロープの編みこみ位置を変えることで、防鳥ネット等の収納場所も確保できるコンパクト収納を実現し、また設置場所に応じて収納形態を変化させることができるようにする。
【課題を解決するための手段】
【０００９】
本考案は上記問題に鑑みてなされたものであり、複数枚のパネル（板）をロープでつなぎ合わせひとつの大きなサークルを形成するゴミ集積場囲いにおいて、サークルの強度を確保するためパネルの接続部分だけをロープで結ぶのではなく、長いロープにて外周を２周させており、そのやり方は、最初の１周は隣り合うパネルを裏、表、裏・・・、と交互に編みこんで行き、次の１周は最初の1周とは反対面を交互に表、裏、表・・・、と編みこんで行く方法で、これをパネルの上部と下部２箇所で行うこことにより、安定した強度を確保できるようにしことを特徴としており、実使用に十分に耐え得る強度を確保できるようにしておく。
【００１０】
パネルを接続するために編みこむロープの位置を隣り合うパネル同士で変えることにより収納時折りたたんだときにロープ同士の重なりを防止できるようになっていることを特徴としており、収納時折りたたんだとき、よりコンパクトに収納することができるようにしておく。
【００１１】
長さの異なるをパネルを組み合わせることで、収納時折りたたんだときにその内側に一定の大きさの空間を確保できるようにしていることを特徴としており、防鳥ネット等の収納場所を確保することができるようにしておく。
【００１２】
長さの異なるをパネルを組み合わせることで、収納時折りたたんだときの形状を変化させることができるようにして、設置場所の形状、スペースに応じた収納形態をとることができるようになっていることを特徴としており、周囲の景観にあわせた最適な収納形態をとることができるようにしておく。
【考案の効果】
【００１３】
本考案のゴミ集積場囲いは、安定した強度を確保し、使用後は設置スペースに応じた形状でコンパクトに収納でき、防鳥ネット等の備品収納場所を確保できるという利点がある。
【考案を実施するための最良の形態】
【００１４】
使用時には十分なゴミ収容スペースを確保でき、使用後は防鳥ネットなども含めコンパクト且つ設置スペースに応じた収納ができ、さらに高い耐久性をもつ、という目的を最小の部品点数で且つ簡略な構造で実現した。
【実施例１】
【００１５】
本考案のゴミ集積場囲いの実施例を図面に基づいて説明すると、図１は使用状態における斜視図で、図２は囲い状に形成する前の展開図で、図３は図２の上面図でありパネルを接続しているロープの編みこみ方式を示した図で、図４は本考案のゴミ集積場囲いの折りたたんで収納した状態の上面図である。
【００１６】
図１および図２において、１は厚さ９ｍｍ、高さ６０ｃｍ幅４５ｃｍ程度の囲いを形成する基本となるパネルであり、１ａは前記パネル１を１８０度回転させて配置したパネルで、２は幅が前記１のパネルの１／２程度とするパネルであり、３は直径およそ１ｃｍで前記１のパネルの上側角で、上辺からおよそ８ｃｍの位置にあけられたロープを通すための穴であり、４は直径およそ１ｃｍで前記１のパネルの下側角で、下辺からおよそ６ｃｍの位置にあけられたロープを通すための穴であり、５は直径およそ１ｃｍで前記２のパネルの上側角で、上辺からおよそ８ｃｍの位置にあけられたロープを通すための穴であり、６は直径およそ１ｃｍで前記２のパネルの下側角で、下辺からおよそ６ｃｍの位置にあけられたロープを通すための穴であり、７は太さ役４ｍｍ程度でパネル同士を接続するためのロープであり、８は最初の４枚のパネルの配列で「パネル２−パネル１−パネル２−パネル２」とした基本配列で、９は「パネル１−パネル１ａ−パネル１−パネル１ａ・・・・」と８枚配列したゴミ収納部配列である。
【００１７】
図３において、１０はロープ編みこみの開始位置、１１はロープ編みこみの終了位置、１２は１周目（往路）の編み込み経路を示しており、細い実線で示しており、１３は２週目（復路）の編みこみ経路をしめしおり、太い実線で示している。
【００１８】
図４において、１４はパネルの最小収納状態であり、１５は防鳥ネット収納スペースを確保した収納状態であり、１６は防鳥ネット収納スペースを確保した細長い設置ペース向け収納状態である。
【００１９】
図２のごとく合計１２枚のパネルを、図３のごとき方式で接続し、図１のごとき囲いを形成している。
【００２０】
これにより図４のごとく折りたたんで収納するときは設置スペースに応じた形状でコンパクトに収納するとこができる。さらに内側にネットなどを収納できるスペースも確保できる。
【実施例２】
【００２１】
実施例１では図２のゴミ収納部配列９を８枚で構成したが、６枚、１０枚、１２枚・・・と偶数枚で構成することを基本にパネル枚数を増減することでゴミ収納量を増減することが可能となる。
【実施例３】
【００２２】
図５に別の実施例を示す。図５は図４同様の本考案のゴミ集積場囲いの収納状態の上面図である。１７は固定用物体であり図２の１枚目を構成する前記パネル２に固定用物体１７を固定することで、より安定した設置状態を確保することができる。
【産業上の利用可能性】
【００２３】
以上述べてきたように本考案のゴミ集積場囲いは  集積場を利用する地域規模に応じてゴミ収容量を調整することができ、使用していないときは、設置場スペースに応じたコンパクト収納が可能であるので都市の景観を損ねることのないゴミ集積場を安価に実現できる。
【図面の簡単な説明】
【００２４】
【図１】使用状態における斜視図
【図２】展開図
【図３】ロープの編みこみ方式を示した図
【図４】収納状態の鳥瞰図（実施例１）
【図５】収納状態の鳥瞰図（実施例３）
【符号の説明】
【００２５】
１      囲いを形成する基本となるパネル
１ａ    パネル１を１８０度回転させて配置したパネル
２      前記１のパネルの１／２程度とするパネル
３      ロープを通すための穴
４      ロープを通すための穴
５      ロープを通すための穴
６      ロープを通すための穴
７      パネル同士を接続するためのロープ
８      基本配列
９      収納配列
１０    ロープ編みこみの開始位置
１１    ロープ編みこみの終了位置
１２    １周目（往路）の編み込み経路
１３    ２週目（復路）の編みこみ経路
１４    パネルの最小収納状態
１５    防鳥ネット収納スペースを確保した収納状態
１６    防鳥ネット収納スペースを確保した細長い設置ペース向け収納状態
１７    固定用物体
【図１】
0003146946.tif 000003
【図２】
0003146946.tif 000004
【図３】
0003146946.tif 000005
【図４】
0003146946.tif 000006
【図５】
0003146946.tif 000007
【手続補正書】
【提出日】平成20年10月6日(2008.10.6)
【手続補正１】
【補正対象書類名】実用新案登録請求の範囲
【補正対象項目名】全文
【補正方法】変更
【補正の内容】
【実用新案登録請求の範囲】
【請求項１】
厚さ８〜１２ｍｍ、高さ５５〜６５ｃｍ、幅４０〜５０ｃｍで、上側両角で上辺からおよそ６ｃｍ、側面からおよそ４ｃｍの位置に直径１ｃｍの穴３と、下側両角で下辺からおよそ８ｃｍ、側面からおよそ４ｃｍの位置に直径１ｃｍの穴４があけられた木製パネル１が１０枚と、厚さ８〜１２ｍｍ、高さ５５〜６５ｃｍ、幅２０〜２５ｃｍで、上側両角で上辺からおよそ６ｃｍ、側面からおよそ４ｃｍの位置に直径１ｃｍの穴５と、下側両角で下辺からおよそ８ｃｍ、側面からおよそ４ｃｍの位置に直径１ｃｍの穴６があけられた木製パネル２が３枚とを直径３〜５ｍｍ、長さ１２ｍ程度、太さ４ｍｍ程度のロープ７を用いて接続しサークル状のゴミ集積所囲いを形成するが、その木製パネルの接続順番は、木製パネル１を１８０度回転したものを木製パネル１ａとして、「パネル２、パネル１ａ、パネル２、パネル２、パネル１ａ、パネル１、パネル１ａ、パネル１、パネル１ａ、パネル１、パネル１ａ、パネル１、パネル１ａ」であり、それらの接続構造は、パネルの上側と下側それぞれにおいてロープ７にて隣り合う「パネルの穴」および「パネル同士の隙間」を交互に裏−表−裏−表−裏−表−・・・と編みこんむことでサークルを１周させ、さらにもう１周、前記１周目とは逆に表−裏−表−裏−表−裏−・・と編みこんで合計２周編みこむことを特徴とするゴミ集積所囲い。
【手続補正２】
【補正対象書類名】明細書
【補正対象項目名】全文
【補正方法】変更
【補正の内容】
【考案の詳細な説明】
【技術分野】
【０００１】
ゴミ集積場において鳥獣によりゴミが荒らされないようにゴミを隔離する用具に関するものである。
【背景技術】
【０００２】
ゴミ集積場で、生ゴミの収集日はカラスや犬などの鳥獣によりゴミ袋が破られ、ゴミが散乱してその周辺が汚されることが多々あった。ゴミ集積場所の区画がはっきりしない場合もゴミ袋が散乱して都市の美観が損なわれることが多かった。
【０００３】
それらへの対策としてゴミ全体を覆うようにネットを被せる処置が一般的に多く取られているが、完全にゴミの散乱を防御できず、カラスがネットにもぐりこみ生ゴミを取り出したりしてゴミが散乱することが起こっている。
【０００４】
これら問題に対しては、一定の大きさのサークルを形成し上部にネットをかぶせることで、カラスがもぐりこまない仕組みをとることが周知の事実になっており、実用新案登録第３１４３０７５号に記されているような装置が提案されているが、非常に高価なものとなっている。また簡易な手段として、同じ大きさのパネルを複数枚組み合わせて囲いを形成する方法がとられているが、実使用上いくつか問題がある。
【０００５】
利用規模によっては多数のパネルを組み合わせる必要があるが、使用後の収納状態が考慮されていないため、パネル自体をコンパクトに収納することができず、通行の妨げになったり、美観を損なう等の問題となっている。
【０００６】
また同時に使う防鳥ネットの収納方法が確立されていないため、別途専用のかごを用意したり、紐でくくりつけたり、あるいはただ丸めておいてあるなどゴミ集積場ごとにまちまちの対応がとられており、美観が損なわれるという問題にもなっている。
【０００７】
さらにはパネル間の接続に関しても十分な強度が確保されておらず、耐久性が低いという問題もある。
【特許文献１】実願２００８−２８８６号公報
【考案の開示】
【考案が解決しようとする課題】
【０００８】
パネル同士の接続に、ロープで外周を２回編みこみむ構造にすることで、接続部分の強度を確保する。異なる幅のパネルを組み合わせ、さらに隣接するパネルのロープの編みこみ高さを変えることで、防鳥ネット等の収納場所も確保できるコンパクト収納を実現し、また設置場所に応じて収納形態を変化させることができるようにする。
【課題を解決するための手段】
【０００９】
本考案は上記問題に鑑みてなされたものであり、厚さ８〜１２ｍｍ、高さ５５〜６５ｃｍ、幅４０〜５０ｃｍで、上側両角で上辺からおよそ６ｃｍ、側面からおよそ４ｃｍの位置に直径１ｃｍの穴３と、下側両角で下辺からおよそ８ｃｍ、側面からおよそ４ｃｍの位置に直径１ｃｍの穴４があけられた木製パネル１が１０枚と、厚さ８〜１２ｍｍ、高さ５５〜６５ｃｍ、幅２０〜２５ｃｍで、上側両角で上辺からおよそ６ｃｍ、側面からおよそ４ｃｍの位置に直径１ｃｍの穴５と、下側両角で下辺からおよそ８ｃｍ、側面からおよそ４ｃｍの位置に直径１ｃｍの穴６があけられた木製パネル２が３枚とを直径３〜５ｍｍ、長さ１２ｍ程度、太さ４ｍｍ程度のロープ７を用いて接続しサークル状のゴミ集積所囲いを形成するが、その木製パネルの接続順番は、木製パネル１を１８０度回転したものを木製パネル１ａとして、「パネル２、パネル１ａ、パネル２、パネル２、パネル１ａ、パネル１、パネル１ａ、パネル１、パネル１ａ、パネル１、パネル１ａ、パネル１、パネル１ａ」であり、それらの接続構造は、パネルの上側と下側それぞれにおいてロープ７にて隣り合う「パネルの穴」および「パネル同士の隙間」を交互に裏−表−裏−表−裏−表−・・・と編みこんむことでサークルを１周させ、さらにもう１周、前記１周目とは逆に表−裏−表−裏−表−裏−・・と編みこんで合計２周編みこむことを特徴とするゴミ集積所囲いであり、折りたたんだ時ロープ同士の重なりをなくすことで、よりコンパクトに収容することができ、なおかつ折りたたんだときその内側に防鳥ネット等を収納する空間を確保できる構造で、長期使用に耐え得る十分な強度も確保できるようにしておく。
【考案の効果】
【００１０】
本考案のゴミ集積場囲いは、安定した強度を確保し、使用後は設置スペースに応じた形状でコンパクトに収納でき、防鳥ネット等の備品収納場所を確保できるという利点がある。
【考案を実施するための最良の形態】
【００１１】
使用時には十分なゴミ収容スペースを確保でき、使用後は防鳥ネットなども含めコンパクト且つ設置スペースに応じた収納ができ、さらに高い耐久性をもつ、という目的を最小の部品点数で且つ簡略な構造で実現した。
【実施例１】
【００１２】
本考案のゴミ集積場囲いの実施例を図面に基づいて説明すると、図１は使用状態における斜視図で、図２は囲い状に形成する前の展開図で、図３は図２の上面図でありパネルを接続しているロープの編みこみ構造を示した図で、図４は本考案のゴミ集積場囲いの折りたたんで収納した状態の上面図である。
【００１３】
図２において、８は最初の４枚のパネルの配列で「パネル２−パネル１ａ−パネル２−パネル２」とした基本配列で、９は「パネル１ａ−パネル１−パネル１ａ−パネル１−パネル１ａ−パネル１−パネル１ａ−パネル１−パネル１ａ」と９枚配列したゴミ収納部配列である。
【００１４】
図３において、１０はロープ編みこみの開始位置、１１はロープ編みこみの終了位置、１２は１周目の編み込み経路を示しており、細い実線で示しており、１３は２周目の編みこみ経路をしめしおり、太い実線で示している。
【００１５】
図４において、１４、１５、１６は本考案のゴミ集積場囲いの未使用時における収納形態例ある。
【００１６】
図２のごとく合計１３枚のパネルを、図３のごとき構造で接続し、図１のごとき囲いを形成し、ゴミ集積場の囲いとして用いる。
【００１７】
未使用時は図４の１４，１５，１６のごとく設置スペースの形状に応じてコンパクトに収納するとこができる。さらに内側に空間を構成できる構造になっているため防鳥ネットなどを収納することができる。
【実施例２】
【００１８】
実施例では図２のゴミ収納部配列９を９枚で構成したが、７枚、１１枚、１３枚・・・と奇数枚で構成することを基本にパネル枚数を増減することでゴミ収納量を増減することが可能となる。
【産業上の利用可能性】
【００１９】
以上述べてきたように本考案のゴミ集積場囲いは  集積場を利用する地域規模に応じてゴミ収容量を調整することができ、使用していないときは、設置場スペースに応じたコンパクト収納が可能であるので都市の景観を損ねることのないゴミ集積場を安価に実現できる。
【図面の簡単な説明】
【００２０】
【図１】使用状態における斜視図
【図２】展開図
【図３】ロープの編みこみ構造を示した図
【図４】収納状態の鳥瞰図（実施例）
【符号の説明】
【００２１】
１      囲いを形成する基本となる木製パネル
１ａ    木製パネル１を１８０度回転させて配置した木製パネル
２      前記１の幅が１／２程度とする木製パネル
３      ロープを通すための穴
４      ロープを通すための穴
５      ロープを通すための穴
６      ロープを通すための穴
７      パネル同士を接続するためのロープ
８      基本配列
９      収納配列
１０    ロープ編みこみの開始位置
１１    ロープ編みこみの終了位置
１２    １周目の編み込み経路
１３    ２周目の編みこみ経路
１４    収納形態例１
１５    収納形態例２
１６    収納形態例３
【手続補正３】
【補正対象書類名】図面
【補正対象項目名】全図
【補正方法】変更
【補正の内容】
【図１】
0003146946.tif 000008
【図２】
0003146946.tif 000009
【図３】
0003146946.tif 000010
【図４】
0003146946.tif 000011